(57)【要約】【課題】  ファクスデータ受信のための待機時における消費電力を低減できる画像形成装置を提供する。【解決手段】  操作者がモード切換スイッチ４７５を操作して、複合機１が低電力消費モードに切り換えられ、フォトカプラ１７がオン信号を出力すると、ＰＷＭ制御部１５０８は、スイッチング素子１５０７に出力する周波数を下げ、スイッチング素子１５０７が供給する電力量を低電力モード用に低下させる。電力供給遮断回路１５０９は、画像記録部４０、原稿読取部５及び外部データ取得部１８０への電力供給を遮断し、ファクシミリ通信部１４０に電力を供給する。また、ファクシミリ通信部１４０は、画像記録動作を行わずファクスデータ受信のみを行う。【選択図】      図３
2006279738.tif 000002
【特許請求の範囲】
【請求項１】
ファクスデータを受信するファクスデータ取得手段と、
プリントデータを取得するプリントデータ取得手段と、
前記ファクスデータ取得手段及びプリントデータ取得手段によって取得されたデータに基づいて記録紙上への画像記録を行う画像記録手段と、
当該画像形成装置を通常動作モード又は低電力消費モードに切り換える指示を操作者から受け付けるモード切換指示受付手段と、
前記モード切換指示手段によって前記通常動作モードに切り換える指示が受け付けられた場合には、前記ファクスデータ取得手段、プリントデータ取得手段及び画像記録手段に電力を供給し、前記モード切換指示手段によって前記低電力消費モードに切り換える指示が受け付けられた場合には、前記プリントデータ取得手段及び画像記録手段への電力供給を遮断し、前記ファクスデータ取得手段に電力を供給する電力供給制御手段と
を備えた画像形成装置。
【請求項２】
前記ファクスデータ取得手段によって取得されたファクスデータを記憶する記憶手段と、
当該画像形成装置が前記低電力消費モードとなっているときに前記ファクスデータ取得手段でファクスデータが取得されると、当該ファクスデータを前記記憶手段に記憶させておき、前記モード切換指示手段によって前記通常動作モードに切り換える指示が受け付けられ、前記電力供給制御手段によって前記ファクスデータ取得手段、プリントデータ取得手段及び画像記録手段に電力供給が開始された後に、前記記憶手段に記憶されているファクスデータに基づいて前記画像記録手段に画像記録を行わせる制御手段と
を更に備えた請求項１に記載の画像形成装置。
【請求項３】
前記電力供給制御手段は、
前記ファクスデータ取得手段、プリントデータ取得手段又は画像記録手段のいずれに電源からの電力を供給するかを切り換える電力供給先制御部と、
前記電源による電力供給量を通常動作モード用又は低電力消費モード用の供給量に切り換える電力供給量制御部とを備え、
前記モード切換指示受付手段によって前記通常動作モードに切り換える指示が受け付けられた場合には、前記電力供給量制御部が、前記電源による電力供給量を通常動作モード用に切り換えると共に、前記電力供給先制御部は電力供給先を前記ファクスデータ取得手段、プリントデータ取得手段及び画像記録手段に切り換え、
前記モード切換指示手段によって前記低電力消費モードに切り換える指示が受け付けられた場合には、前記電力供給量制御部が、前記電源による電力供給量を低電力モード用に切り換えると共に、前記電力供給先制御部が、前記プリントデータ取得手段及び画像記録手段への電力供給が遮断され、前記ファクスデータ取得手段に電力が供給されるように電力供給先を切り換える請求項１又は請求項２に記載の画像形成装置。
【請求項４】
前記電力供給制御手段は、前記電源として機能する交流電源からの交流波形を整流する整流回路と、この整流回路後のラインに設けられたダイオードとを備える請求項３に記載の画像形成装置。
【請求項５】
前記モード切換指示受付手段は、操作者によってオン又はオフが切り換えられるモード切換スイッチと、このモード切換スイッチのオン又はオフに応じた信号を前記電力供給制御手段に送出するフォトカプラとを備える請求項１乃至請求項４のいずれかに記載の画像形成装置。
【発明の詳細な説明】
【技術分野】
【０００１】
本発明は、画像形成装置に関し、特に、通常動作モード時又は低電力消費モード時における装置各部への電力供給制御に関する。
【背景技術】
【０００２】
一般的に、ファクス機能、プリンタ機能、コピー機能等の複合機能を備えた画像形成装置（いわゆる複合機）は、省電力化を図るために、その動作状態を複数のモードに設定できるようになっている。このモードとしては、例えば、(1)主電源はオフとされ、電源コードが差し込まれただけの状態であるプラグインモード、(2)外部接続されたコンピュータからのデータや、公衆回線を通じて外部ファクシミリ装置からのデータ等を受信可能な状態を保ち、これ以外の各部への電力供給を停止したスリープモード、(3)操作各部への電力供給を極力停止するが、比較的短かい待ち時間で通常動作可能に復帰できる低電力モード、(4)電力節約量は少ないが、僅かな待ち時間ですぐにコピーやプリントが可能なスタンバイモード、そして、(5)通常動作モード等がある。複合機の場合、夜間等であって、複合機を使用しない時間が長くなる場合であっても、ファクス受信を24時間体制で可能としておかなければならず、主電源をオフにはできないため、上記(1)のプラグインモードにすることはできず、上記(2)のスリープモードとされることが多い。
【０００３】
また、各特許文献には、上記省電力化のための発明が示されており、ファクシミリ用電源として、主電源とは別個にサブ電源を搭載して、主電源をオフにできるようにして省電力化を図るデジタル複合機（特許文献１）、ファクシミリ用サブ電源とリンギング検出用の電源を搭載したデジタル複合機（特許文献２）、メインCPUとは別個に、スリープモード時に外部インタフェイスを監視するサブCPUを搭載して、メインCPUへの電力供給を停止できるようにした画像形成装置（特許文献３）、スリープモードから復帰させて、プリンタ又はファクシミリとして用いる場合は、スキャナ部への電力供給を遮断させて、スキャナ部での電力消費を抑制するようにした画像形成装置（特許文献４）が示されている。
【特許文献１】特開平９−３０７６７３号公報
【特許文献２】特開平１０−２２４５３５号公報
【特許文献３】特開２００４−５０２９号公報
【特許文献４】特開平１１−１２６０００号公報
【発明の開示】
【発明が解決しようとする課題】
【０００４】
しかし、上記のように複合機を常時スリープ状態にしておくことは、スリープ時の消費電力が小さい機器の場合は消費電力を充分に低減できるが、例えばカラー機や高速機の場合には、外部接続されたコンピュータからのプリントデータの受信待機時にも多くの電力を消費してしまう。
【０００５】
また、特許文献１に示されたデジタル複合機の場合、メイン電源とは別にサブ電源が必要になるために製造コストが高くなり、電源の基板占有面積も増加する。特許文献２に記載されたデジタル複合機の場合も、ファクシミリ用サブ電源とリンギング検出用の電源が別個に必要となるため、同様に、製造コストが高くなり、電源の基板占有面積も増加する。特許文献３に記載の画像形成装置の場合は、サブＣＰＵが必要になるために、その分製造コストが高くなる。特許文献４に記載の画像形成装置の場合は、スリープモードから復帰した時における動作の消費電力は軽減されるが、スリープモード時の消費電力を低減することはできない。
【０００６】
本発明は、上記の問題を解決するためになされたもので、ファクスデータ受信のための待機時における消費電力を低減できる画像形成装置を提供することを目的とするものである。
【課題を解決するための手段】
【０００７】
本発明の請求項１に記載の発明は、ファクスデータを受信するファクスデータ取得手段と、
プリントデータを取得するプリントデータ取得手段と、
前記ファクスデータ取得手段及びプリントデータ取得手段によって取得されたデータに基づいて記録紙上への画像記録を行う画像記録手段と、
当該画像形成装置を通常動作モード又は低電力消費モードに切り換える指示を操作者から受け付けるモード切換指示受付手段と、
前記モード切換指示手段によって前記通常動作モードに切り換える指示が受け付けられた場合には、前記ファクスデータ取得手段、プリントデータ取得手段及び画像記録手段に電力を供給し、前記モード切換指示手段によって前記低電力消費モードに切り換える指示が受け付けられた場合には、前記プリントデータ取得手段及び画像記録手段への電力供給を遮断し、前記ファクスデータ取得手段に電力を供給する電力供給制御手段と
を備えた画像形成装置である。
【０００８】
この構成では、例えばスキャナや、外部コンピュータからプリントデータを受信する受信機構等からなるプリントデータ取得手段や、画像記録手段での消費電力を無くしつつ、ファクスデータ受信は可能な状態で待機することで、ファクスデータ受信待機時における消費電力を低減するようにしている。
【０００９】
また、請求項２に記載の発明は、請求項１に記載の画像形成装置であって、前記ファクスデータ取得手段によって取得されたファクスデータを記憶する記憶手段と、
当該画像形成装置が前記低電力消費モードとなっているときに前記ファクスデータ取得手段でファクスデータが取得されると、当該ファクスデータを前記記憶手段に記憶させておき、前記モード切換指示手段によって前記通常動作モードに切り換える指示が受け付けられ、前記電力供給制御手段によって前記ファクスデータ取得手段、プリントデータ取得手段及び画像記録手段に電力供給が開始された後に、前記記憶手段に記憶されているファクスデータに基づいて前記画像記録手段に画像記録を行わせる制御手段と
を更に備えたものである。
【００１０】
この構成によれば、低電力消費モード中に画像記録手段への電力供給を開始したり、消費電力を増加させたりせずに、装置が通常動作モードとなって画像記録手段に電力供給が開始された後に、低電力消費モード時に受信しておいたファクスデータを画像記録するので、ファクスデータ受信待機時における消費電力量を少なく保ちつつ、また、操作者に対して支障を与えることなく、受信したファクスデータの画像記録を行うことができる。
【００１１】
また、請求項３に記載の発明は、請求項１又は請求項２に記載の画像形成装置であって、前記電力供給制御手段は、
前記ファクスデータ取得手段、プリントデータ取得手段又は画像記録手段のいずれに電源からの電力を供給するかを切り換える電力供給先制御部と、
前記電源による電力供給量を通常動作モード用又は低電力消費モード用の供給量に切り換える電力供給量制御部とを備え、
前記モード切換指示受付手段によって前記通常動作モードに切り換える指示が受け付けられた場合には、前記電力供給量制御部が、前記電源による電力供給量を通常動作モード用に切り換えると共に、前記電力供給先制御部は電力供給先を前記ファクスデータ取得手段、プリントデータ取得手段及び画像記録手段に切り換え、
前記モード切換指示手段によって前記低電力消費モードに切り換える指示が受け付けられた場合には、前記電力供給量制御部が、前記電源による電力供給量を低電力モード用に切り換えると共に、前記電力供給先制御部が、前記プリントデータ取得手段及び画像記録手段への電力供給が遮断され、前記ファクスデータ取得手段に電力が供給されるように電力供給先を切り換えるものである。
【００１２】
この構成では、低電力消費モード時及び通常動作モード時における電力供給量及び電力供給先の両方を、各モードに応じて電力供給量制御部及び電力供給先制御部で制御することによって、低電力消費モード時には少ない電力供給量でファクスデータ取得手段を動作させ、通常動作時には大きな電力供給量でもってファクスデータ取得手段、プリントデータ取得手段及び画像記録手段を動作させることにより、低電力消費モード時において、ファクスデータ取得手段の動作に必要最低限の電力供給量を確保しつつ、プリントデータ取得手段及び画像記録手段には電力供給を行わない制御を実現している。
【００１３】
また、請求項４に記載の発明は、請求項３に記載の画像形成装置であって、前記電力供給制御手段は、前記電源として機能する交流電源からの交流波形を整流する整流回路と、この整流回路後のラインに設けられたダイオードとを備えるものである。
【００１４】
この構成によれば、整流回路の後のラインにダイオードを設けたので、整流後の電流が逆流することを防止することができる。
【００１５】
また、請求項５に記載の発明は、請求項１乃至請求項４のいずれかに記載の画像形成装置であって、前記モード切換指示受付手段は、操作者によってオン又はオフが切り換えられるモード切換スイッチと、このモード切換スイッチのオン又はオフに応じた信号を前記電力供給制御手段に送出するフォトカプラとを備えるものである。
【００１６】
この構成では、モード切換スイッチのオン又はオフに応じて、簡単な構成で、電気的に絶縁された出力信号を電力供給制御手段に送出して、電力供給制御手段による当該出力信号に基づいた電力供給制御が可能となるようにしている。
【発明の効果】
【００１７】
請求項１に記載の発明によれば、ファクスデータ受信待機時におけるプリントデータ取得手段や画像記録手段での消費電力を無くしているので、従来の画像形成装置よりも、ファクスデータ受信待機時における消費電力を低減することができる。
【００１８】
請求項２に記載の発明によれば、ファクスデータ受信待機時における消費電力量を少なく保ちつつ、しかも操作者に対して支障を与えることなく、受信したファクスデータの画像記録を確実に行うことができる。
【００１９】
請求項３に記載の発明によれば、低電力消費モード時において、ファクスデータ取得手段の動作に必要最低限の電力供給量を確保しつつ、プリントデータ取得手段及び画像記録手段には電力供給を行わない制御を実現することができる。
【００２０】
請求項４に記載の発明によれば、整流回路の後のラインに設けられたダイオードにより、整流後の電流の逆流を防止することができる。
【００２１】
請求項５に記載の発明によれば、モード切換スイッチのオン又はオフに応じて、簡単な構成で、電気的に絶縁された出力信号を電力供給制御手段に送出して、電力供給制御手段による当該出力信号に基づいた電力供給制御を可能とすることができる。
【発明を実施するための最良の形態】
【００２２】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００２３】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、複合機１の動作モードを、通常動作モード又は低電力消費モード等に切り換える指示を受け付けるモード切換スイッチ４７５と、コピー機能、プリンタ機能、スキャナ機能及びファクシミリ機能を切り換えるための機能切換キー４７７が備えられている。
【００２４】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２５】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２６】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２７】
本体部２は、複数の給紙カセット４６１と、給紙カセット４６１から記録紙を１枚ずつ繰り出して画像記録部（画像記録手段）４０へ搬送する給紙ローラ４６２と、給紙カセット４６１から搬送されてきた記録紙に画像を形成する画像記録部４０とを備える。
【００２８】
画像記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、画像記録部４０内の用紙搬送路中に設けられ、記録紙をスタックトレイ３又は排出トレイ４８まで搬送する搬送ローラ４６３，４６４等とを備える。
【００２９】
また、記録紙の両面に画像を形成する場合は、画像記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像記録部４０の上流域に再度搬送し、画像記録部４０により他方の面に画像を形成した後、記録紙をスタックトレイ３又は排出トレイ４８に排出する。
【００３０】
図２は複合機１の内部構成の概略を示すブロック図である。複合機１は、装置の各部の動作を制御する制御部１００と、原稿画像を読み取るスキャナ等を有する原稿読取部（プリントデータ取得手段）５と、原稿読取部５によって読み取られた原稿画像のデータや、後述するファクシミリ通信部１４０が受信したファクスデータ等を一時的に記憶する画像メモリ（記憶手段）１２０と、原稿読取部５によって読み取られた原稿画像のデータや、ファクスデータ等に基づいて記録紙に画像記録（プリントアウト）を行う画像記録部４０とを有する。
【００３１】
ファクシミリ通信部１４０（ファクスデータ受信手段として機能）は、ファクシミリ通信に必要な諸機能を実行し、公衆回線８１を通じて外部のファクシミリ装置８０から画像データを受信するものである。操作部４７は、上述したモード切換キー４７５等からなる操作者からの各種操作指示（印刷枚数等）を受け付ける操作キー群と、操作者への操作案内等を表示するＬＣＤ（Liquid Crystal Display）等からなる表示部とを備える。さらに、複合機１は、上記原稿画像データやファクスデータ等を記憶可能な大容量のハードディスク（ＨＤＤ）１７１を備えている。
【００３２】
また、制御部（制御手段）１００は、複合機１が低電力消費モードとなっているときに、ファクシミリ通信部１４０が取得したファクスデータを画像メモリ１２０等に記憶させておき、モード切換スイッチ４７５によって通常動作モードに切り換える指示が受け付けられた場合に、画像メモリ１２０等に記憶させておいたファクスデータを画像記録部４０に記録させる制御を行う。
【００３３】
外部データ取得部（プリントデータ取得手段）１８０は、複合機１にＬＡＮやイントラネット等により接続されたパーソナルコンピュータ２００から送信されてくるプリントデータを受信するものである。画像処理部１９０は、上記原稿画像データやファクスデータ等に対して編集／加工（符／復号処理、拡大／縮小処理、圧縮／伸長処理）処理等を行うものである。
【００３４】
電力供給制御部（電力供給制御手段）１５０は、モード切換スイッチ（モード切換指示受付手段）４７５で操作者から受け付けられた指示に基づいて、複合機１の動作モードを通常動作モード又は低電力消費モードのいずれかに切り換えるものであり、例えば、ファクシミリ通信部１４０、外部データ取得部１８０、及び画像記録部４０に対する電力供給量の制御、及び電力を供給するか否かの切り換え制御を行う。
【００３５】
上記電力供給制御部１５０は、電力供給部１５０１と、電力供給先制御部１５０２と、電力供給量制御部１５０３とを備えている。電力供給部１５０１は、家庭用の交流電源から出力される交流波形を整流して、ファクシミリ通信部１４０、外部データ取得部１８０及び画像記録部４０に電力を供給するものである。電力供給先制御部１５０２は、ファクシミリ通信部１４０、外部データ取得部１８０及び画像記録部４０のいずれに電力を供給するか遮断するかを切り換えるものである。電力供給量制御部１５０３は、電力供給量を、モード切換スイッチ４７５で受け付けられた通常動作モード用又は低電力消費モード用のそれぞれに適応した供給量に切り換えるものである。
【００３６】
図３は電力供給制御部１５０の概略構成を示す回路図である。電力供給制御部１５０は、交流電源１６からの出力（交流波形）を整流する電力供給部（整流回路）１５０１を備えている。この電力供給部１５０１は、ブリッジダイオード１５０４及び平滑コンデンサ１５０５を備え、整流後のラインには電流の逆流を防止するダイオード１５０６を備えている。
【００３７】
上記ダイオード１５０６の後のラインには、画像記録部４０、原稿読取部５、外部データ取得部１８０及びファクシミリ通信部１４０等への電力供給量を、通常動作モード用又は低電力消費モード用のそれぞれに適応した、予め定められた供給量に切り換えるスイッチング素子１５０７を備えている。このスイッチング素子１５０７は、ＰＷＭ制御部１５０８から出力される周波数に応じて、電力供給量の増減が制御される。本実施形態では、これらスイッチング素子１５０７及びＰＷＭ制御部１５０８が上記電力供給量制御部１５０２として機能する。
【００３８】
電力供給遮断回路１５０９は、電力供給先制御部１５０２の一例であり、画像記録部４０、原稿読取部５、外部データ取得部１８０及びファクシミリ通信部１４０等のいずれに交流電源１６からの電力（整流後）を供給するかを切り換えるものである。
【００３９】
また、複合機１を通常動作モード又は低電力消費モード等に切り換える指示を受け付けるモード切換スイッチ４７５は、交流電源１６からのラインに接続させて設けられており、このモード切換スイッチ４７５には、モード切換スイッチ４７５の切り換えに応じて、ＰＷＭ制御部１５０８、電力供給遮断回路１５０９及びファクシミリ通信部１４０に対して信号を出力又は停止するフォトカプラ１７が設けられている。なお、本実施形態では、これらモード切換スイッチ４７５及びフォトカプラ１７がモード切換指示受付手段として機能する。ＰＷＭ制御部１５０８、電力供給遮断回路１５０９及びファクシミリ通信部１４０は、フォトカプラ１７からの信号の有無に応じた動作制御を行うようになっている（詳細は後述）。
【００４０】
なお、交流電源１６と電力供給部１５０１の間のラインには、交流電源１６から発生するノイズを除去するためのノイズフィルタ回路１８が設けられている。
【００４１】
次に、複合機１による通常動作モード又は低電力消費モード時における装置各部への電力供給制御について説明する。図４は、当該電力供給制御時の処理を示す図である。操作者がモード切換スイッチ４７５を操作して、複合機１が低電力消費モードに切り換えられると（Ｓ１でＹＥＳ）、例えば、モード切換スイッチ４７５がオンになると、これに対応してフォトカプラ１７がオン信号を出力する（Ｓ２）。ＰＷＭ制御部１５０８が当該オン信号を受けると、スイッチング素子１５０７に出力する周波数を下げ、スイッチング素子１５０７が供給する電力量を低電力モード用に低下させる（Ｓ３）。電力供給遮断回路１５０９は、当該フォトカプラ１７からのオン信号を受信すると、画像記録部４０、原稿読取部５及び外部データ取得部１８０への電力供給を遮断し、ファクシミリ通信部１４０に電力を供給する（Ｓ４）。また、ファクシミリ通信部１４０は、フォトカプラ１７からのオン信号を受信すると、内蔵されているファクスコントローラにより、画像記録動作を行わずファクスデータ受信のみを行うように設定される（Ｓ５）。
【００４２】
一方、複合機１が通常動作モードに切り換えられると（Ｓ１でＮＯ）、例えば、この場合におけるモード切換スイッチ４７５がオフになると、フォトカプラ１７がオン信号の出力を停止する（Ｓ６）。ＰＷＭ制御部１５０８は、フォトカプラ１７からのオン信号が無くなると、スイッチング素子１５０７に出力する周波数を通常動作モード用の周波数に上げ、スイッチング素子１５０７が供給する電力量を通常動作モード用に増加させる（Ｓ７）。電力供給遮断回路１５０９は、フォトカプラ１７からのオン信号が無くなると、画像記録部４０、原稿読取部５及び外部データ取得部１８０への電力供給遮断をやめて、画像記録部４０、原稿読取部５、外部データ取得部１８０及びファクシミリ通信部１４０に電力供給が行われるようにする（Ｓ８）。また、ファクシミリ通信部１４０は、フォトカプラ１７からのオン信号が無くなると、内蔵されているファクスコントローラにより、画像記録動作及びファクスデータ受信の両方の動作が可能な状態に設定される（Ｓ９）。
【００４３】
なお、図４に示した、Ｓ３乃至Ｓ５の一連の処理はいずれの処理が先に行われても構わない。Ｓ６乃至Ｓ９の一連の処理も同様である。
【００４４】
上述した複合機１による電力供給制御によれば、例えば、複合機１が、主電源はオフとされ、電源コードが差し込まれただけの状態であるプラグインモードとなっており、電力供給遮断回路１５０９により、装置各部に供給される電力が低減された状態となっていても、ファクシミリ通信部１４０によるファクスデータ受信待機が可能になり、複合機１使用時の低消費電力化を図ることができる。また、従来の画像形成装置のように、ファクス待機用にサブ電源やサブＣＰＵを必要とすることがないので、安価に低電力消費型の電源回路が構成できると共に、電源の基板占有面積も低減することができる。
ファクスデータ受信待機時におけるプリントデータ取得手段や画像記録手段での消費電力を無くしているので、従来の画像形成装置よりも、ファクスデータ受信待機時における消費電力を低減することかできる。
【００４５】
次に、複合機１における画像記録動作制御時の処理を説明する。図５は複合機１における画像記録動作制御時の処理の流れを示すフローチャートである。ファクシミリ通信部１４０が外部のファクシミリ装置８０から公衆回線を通じてファクスデータを受信すると（Ｓ１１でＹＥＳ）、制御部１００は、受信したデータを画像メモリ１２０に記憶させる（Ｓ１２）。なお、受信したファクスデータ量が画像メモリ１２０の記憶可能容量を超える場合はＨＤＤ１７１に記憶させてもよい。また、ＨＤＤ１７１の一領域を画像メモリ１２０として用いるようにしてもよい。
【００４６】
続いて、制御部１００は、複合機１の動作モードが通常動作モード又は低電力消費モードのいずれになっているかを、例えば、モード切換スイッチ４７５の状態に応じて立てられたフラグに基づいて判断する（Ｓ１３）。ここで、通常動作モードである場合は（Ｓ１３で「通常動作モード」）、画像メモリ１２０に記憶させたファクスデータを即座に画像記録部４０に記録させる（Ｓ１５）。また、低電力消費モードである場合は（Ｓ１３で「低電力消費モード」）、動作モードが通常動作モードに復帰するまでファクスデータの画像記録を行わず（Ｓ１４）、操作者がモード切換スイッチ４７５を操作して、複合機１の動作モードが通常動作モードに切り換えられた後に（Ｓ１４でＹＥＳ）、画像メモリ１２０に記憶させておいたファクスデータを画像記録部４０に画像記録させる（Ｓ１５）。
【００４７】
このような画像記録動作制御を行うことによって、低電力消費モード中には、画像記録部４０への電力供給を開始したり、消費電力を増加させたりすることなく、ファクスデータ受信のみを行って、電力消費を少なく保ちつつ、操作者に支障を与えない画像記録を行うようにしている。
【００４８】
なお、本発明は上記実施の形態の構成に限られず種々の変形が可能である。例えば、上記実施形態では、複合機１が低電力消費モードとされた場合に、電力供給が遮断されるのは、画像記録部４０、原稿読取部５及び外部データ取得部１８０として説明しているが、これはあくまでも一例であり、更に他の機構への電源供給を遮断するようにしてもよい。また、複合機１が低電力消費モードとされた場合に、電力が供給されるのは、ファクシミリ通信部１４０としているが、これもあくまでも一例であり、更に他の機構に電源を供給するようにしてもよい。
【００４９】
また、上記図１乃至図５で示した構成及び処理は、あくまでも一例であり、本発明は上記に示した構成及び処理に限定されるものではない。
【図面の簡単な説明】
【００５０】
【図１】本発明の一実施形態に係る画像形成装置の一例である複合機の内部構成を概略的に示す側面図である。
【図２】複合機の内部構成の概略を示すブロック図である。
【図３】電力供給制御部の概略構成を示す回路図である。
【図４】複合機による通常動作モード又は低電力消費モード時における装置各部への電力供給制御を示す図である。
【図５】複合機における画像記録動作制御時の処理の流れを示すフローチャートである。
【符号の説明】
【００５１】
１        複合機
５        原稿読取部
４０      画像記録部
１００    制御部
１２０    画像メモリ
１４０    ファクシミリ通信部
１５０    電力供給制御部
１５０１  電力供給部
１５０２  電力供給先制御部
１５０３  電力供給量制御部
１５０４  ブリッジダイオード
１５０５  平滑コンデンサ
１５０６  ダイオード
１５０７  スイッチング素子
１５０８  ＰＷＭ制御部
１５０９  電力供給遮断回路
１６      交流電源
１７      フォトカプラ
１８０    外部データ取得部
４７      操作部
４７５    モード切換キー
【図１】
2006279738.tif 000003
【図２】
2006279738.tif 000004
【図３】
2006279738.tif 000005
【図４】
2006279738.tif 000006
【図５】
2006279738.tif 000007